(57)【要約】  本装置は、モビリティ管理の方法を行うように構成される。本方法は、ユーザ機器(UE)と、第1の地理的領域内の第1のサービングゲートウェイ(SGW)グループに関連付けられた第1のパケット・データ・ネットワーク・ゲートウェイ(PGW)との間の第1のパケット・データ・ネットワーク(PDN)接続を確立するステップと、第2のPGWに関連付けられたハンドオーバー宛先SGWとの通信を確立するステップであって、第2のPGWが第2の地理的領域内の第2のSGWグループに関連付けられる、ステップと、UEが第1の地理的領域から第2の地理的領域に移動したと判定されると、第1のPGWとハンドオーバー宛先SGWとの間の汎用パケット無線サービス(GPRS)トンネリングプロトコル(GTP)トンネル接続を確立するとともに、第1のPGWとハンドオーバー宛先SGWとのGTPトンネル接続を使用するように第1のPDN接続を更新するステップとを含む。
2017501636.tif 000002
【特許請求の範囲】
【請求項１】
モビリティ管理のための方法であって、
ユーザ機器(UE)と、第1の地理的領域内の第1のサービングゲートウェイ(SGW)グループに関連付けられた第1のパケット・データ・ネットワーク・ゲートウェイ(PGW)との間の第1のパケット・データ・ネットワーク(PDN)接続を確立するステップと、
第2のPGWに関連付けられたハンドオーバー宛先SGWとの通信を確立するステップであって、前記第2のPGWが第2の地理的領域内の第2のSGWグループに関連付けられ、
前記UEが前記第1の地理的領域から前記第2の地理的領域に移動したと判定されると、前記第1のPGWと前記ハンドオーバー宛先SGWとの間の汎用パケット無線サービス(GPRS)トンネリングプロトコル(GTP)トンネル接続を確立するとともに、前記第1のPGWと前記ハンドオーバー宛先SGWとの間の前記GTPトンネル接続を使用するように前記第1のPDN接続を更新するステップとを含む方法。
【請求項２】
前記ハンドオーバー宛先SGWは、前記第2のPGWと同一場所に配置される、請求項１に記載の方法。
【請求項３】
前記UEが前記第1の地理的領域から前記第2の地理的領域に移動する前に、PDN接続は前記第1のSGWグループ中の少なくとも1つのSGWを含むとともに、前記UEが前記第1の地理的領域から前記第2の地理的領域に移動した後に、PDN接続は前記第1のSGWグループ中のいずれのSGWも含まない、請求項１に記載の方法。
【請求項４】
前記UEが前記第1の地理的領域から前記第2の地理的領域に移動する前に、PDN接続は前記第1の地理的領域内の第1のeNBを含むとともに、前記UEが前記第1の地理的領域から前記第2の地理的領域に移動した後に、PDN接続は前記第2の地理的領域内の第2のeNBを含む、請求項１に記載の方法。
【請求項５】
前記方法は、
前記UEが前記第1の地理的領域から前記第2の地理的領域に移動する前に、PDN接続要求を前記UEから受信するステップをさらに含む、請求項１に記載の方法。
【請求項６】
前記UEが前記第2の地理的領域に移動した後に、
前記第1のPDN接続を切断するステップと、
前記第2のPGW、前記第2のSGWグループ中の少なくとも1つのSGW、および前記UE間の第2のPDN接続を確立するステップとをさらに含む、請求項１に記載の方法。
【請求項７】
前記第1の地理的領域は、前記第2の地理的領域に隣接する、
請求項１に記載の方法。
【請求項８】
モビリティ管理のための装置であって、
ユーザ機器(UE)と、第1の地理的領域内の第1のサービングゲートウェイ(SGW)グループに関連付けられた第1のパケット・データ・ネットワーク・ゲートウェイ(PGW)との間の第1のパケット・データ・ネットワーク(PDN)接続を確立し、
第2のPGWに関連付けられたハンドオーバー宛先SGWとの通信を確立し、ここで、前記第2のPGWが第2の地理的領域内の第2のSGWグループに関連付けられ、
前記UEが前記第1の地理的領域から前記第2の地理的領域に移動したと判定されると、前記第1のPGWと前記ハンドオーバー宛先SGWとの間の汎用パケット無線サービス(GPRS)トンネリングプロトコル(GTP)トンネル接続を確立するとともに、前記第1のPGWと前記ハンドオーバー宛先SGWとの間の前記GTPトンネル接続を使用するように前記第1のPDN接続を更新するように構成された、モビリティ・マネジメント・エンティティ(MME)を備える装置。
【請求項９】
前記ハンドオーバー宛先SGWは、前記第2のPGWと同一場所に配置される、請求項８に記載の装置。
【請求項１０】
前記UEが前記第1の地理的領域から前記第2の地理的領域に移動する前に、PDN接続は前記第1のSGWグループ中の少なくとも1つのSGWを含むとともに、前記UEが前記第1の地理的領域から前記第2の地理的領域に移動した後に、PDN接続は前記第1のSGWグループ中のいずれのSGWも含まない、請求項８に記載の装置。
【請求項１１】
前記UEが前記第1の地理的領域から前記第2の地理的領域に移動する前に、PDN接続は前記第1の地理的領域内の第1のeNBを含むとともに、前記UEが前記第1の地理的領域から前記第2の地理的領域に移動した後に、PDN接続は前記第2の地理的領域内の第2のeNBを含む、請求項８に記載の装置。
【請求項１２】
前記MMEは、
前記UEが前記第1の地理的領域から前記第2の地理的領域に移動する前に、PDN接続要求を前記UEから受信するようにさらに構成される、請求項８に記載の装置。
【請求項１３】
前記MMEは、前記UEが前記第2の地理的領域に移動した後に、
前記第1のPDN接続を切断するとともに、
前記第2のPGW、前記第2のSGWグループ中の少なくとも1つのSGW、および前記UE間の第2のPDN接続を確立するようにさらに構成される、請求項８に記載の装置。
【請求項１４】
前記第1の地理的領域は、前記第2の地理的領域に隣接する、請求項８に記載の装置。
【請求項１５】
モビリティ管理のためのシステムであって、前記システムは、
第1の地理的領域内の第1のサービングゲートウェイ(SGW)グループに関連付けられた第1のパケット・データ・ネットワーク・ゲートウェイ(PGW)と、
第2の地理的領域内の第2のSGWグループに関連付けられた第2のPGWと、
前記第1のPGWおよび第2のPGWと通信可能に結合されたモビリティ・マネジメント・エンティティ(MME)とを備え、前記MMEは、
ユーザ機器(UE)と前記第1のPGWとの間の第1のパケット・データ・ネットワーク(PDN)接続を確立し、
前記第2のPGWに関連付けられたハンドオーバー宛先SGWとの通信を確立し、
前記UEが前記第1の地理的領域から前記第2の地理的領域に移動したと判定すると、前記第1のPGWと前記ハンドオーバー宛先SGWとの汎用パケット無線サービス(GPRS)トンネリングプロトコル(GTP)トンネル接続を確立するとともに、前記第1のPGWと前記ハンドオーバー宛先SGWとの間の前記GTPトンネル接続を使用するように前記第1のPDN接続を更新するように構成される、システム。
【請求項１６】
前記ハンドオーバー宛先SGWは、前記第2のPGWと同一場所に配置される、請求項１５に記載のシステム。
【請求項１７】
前記UEが前記第1の地理的領域から前記第2の地理的領域に移動する前に、PDN接続は前記第1のSGWグループ中の少なくとも1つのSGWを含むとともに、前記UEが前記第1の地理的領域から前記第2の地理的領域に移動した後に、PDN接続は前記第1のSGWグループ中のいずれのSGWも含まない、請求項１５に記載のシステム。
【請求項１８】
前記UEが前記第1の地理的領域から前記第2の地理的領域に移動する前に、PDN接続は第1の地理的領域内の第1のeNBを含むとともに、前記UEが前記第1の地理的領域から前記第2の地理的領域に移動した後に、PDN接続は前記第2の地理的領域内の第2のeNBを含む、請求項１５に記載のシステム。
【請求項１９】
前記MMEは、
前記UEが前記第1の地理的領域から前記第2の地理的領域に移動する前に、PDN接続要求を前記UEから受信するようにさらに構成される、請求項１５に記載のシステム。
【請求項２０】
前記MMEは、前記UEが前記第2の地理的領域に移動した後に、
前記第1のPDN接続を切断するとともに、
前記第2のPGW、前記第2のSGWグループ中の少なくとも1つのSGW、および前記UE間の第2のPDN接続を確立するようにさらに構成される、請求項１５に記載のシステム。
【発明の詳細な説明】
【技術分野】
【０００１】
本出願は、「SYSTEM AND METHOD FOR DISTRIBUTED MOBILITY MANAGEMENT WITH GPRS TUNNELING PROTOCOL」と題する2014年12月23日に提出された米国仮特許出願第14/581,407号、および「DISTRIBUTED MOBILITY MANAGEMENT WITH GPRS TUNNELING PROTOCOL」と題する2013年12月27日に提出された米国仮特許出願第61/921,290号の優先権を主張し、ここに参照により全てが記載されているものとして、その両方が本出願に組み込まれる。
【０００２】
本開示は、一般的にパケット・データ・ネットワーク接続と関係し、より詳細には、汎用パケット無線サービス(GPRS)トンネリングプロトコルによる分散型モビリティ管理のためのシステムおよび方法に関係する。
【背景技術】
【０００３】
無線装置は、単に数十億個もの電話だけなく、場合によっては、はるかに多くのセンサ、マシン・ツー・マシン通信に寄与するマシン、およびモノのインターネット(IoT)と呼ばれる実用的な全ての物によって、より多様になりつつある。2020年までに、これらの装置の数が桁違いに増大するとの予想から、高密度無線ネットワークが出現しそうである。モバイル装置からのデータおよび信号伝達の両方が、次の5年以降で指数関数的に増大することが予想される。しかし、局所的なデータ・トラフィック・パターンが大半を占める可能性がある。中央集中化されたコアネットワークにより全ての無線ノードをサーブする、第3世代パートナーシッププロトコル(3GPP)ネットワークのような、モバイルネットワークにおいて中央集中化されたアーキテクチャは、効率が良いとは限らない。一方で、インターネット・ピアリング・モデルは、階層型モデルから平坦化モデルへの変換を遂げるところであり、これにより、tier2およびtier3インターネット・サービス・プロバイダ(ISP)は、これらの間でパケットをtier1 ISPへの接続を介して常にルートする必要がなく、互いに直接接続することができる。その結果、中央集中化されたモバイル・コアネットワークからさらなる分散型ネットワークへの発展は、明らかな傾向である。
【発明の概要】
【課題を解決するための手段】
【０００４】
本開示は、汎用パケット無線サービス(GPRS)トンネリングプロトコルによる分散型モビリティ管理のためのシステムおよび方法を指向するものである。
【０００５】
一実施形態によれば、モビリティ管理のための方法を提供する。本方法は、ユーザ機器(UE)と、第1の地理的領域内の第1のサービングゲートウェイ(SGW)グループに関連付けられた第1のパケット・データ・ネットワーク・ゲートウェイ(PGW)との間の第1のパケット・データ・ネットワーク(PDN)接続を確立するステップと、第2のPGWに関連付けられたハンドオーバー宛先SGWとの通信を確立するステップであって、第2のPGWが第2の地理的領域内の第2のSGWグループに関連付けられる、ステップと、UEが第1の地理的領域から第2の地理的領域に移動したと判定された場合、第1のPGWとハンドオーバー宛先SGWとの間の汎用パケット無線サービス(GPRS)トンネリングプロトコル(GTP)トンネル接続を確立するとともに、第1のPGWとハンドオーバー宛先SGWとの間のGTPトンネル接続を使用するように第1のPDN接続を更新するステップとを含む。
【０００６】
別の実施形態によれば、モビリティ管理のための装置を提供する。本装置は、モビリティ・マネジメント・エンティティ(MME)を含む。MMEは、UEと、第1の地理的領域内の第1のSGWグループに関連付けられた第1のPGWとの間の第1のPDN接続を確立し、第2のPGWに関連付けられたハンドオーバー宛先SGWとの通信を確立し、ここで、第2のPGWが第2の地理的領域内の第2のSGWグループに関連付けられ、UEが第1の地理的領域から第2の地理的領域に移動したと判定されると、第1のPGWとハンドオーバー宛先SGWとの間のGTPトンネル接続を確立するとともに、第1のPGWとハンドオーバー宛先SGWとの間のGTPトンネル接続を使用するように第1のPDN接続を更新するように構成される。
【０００７】
さらに別の実施形態によれば、モビリティ管理のためのシステムを提供する。本システムは、第1の地理的領域内の第1のSGWグループに関連付けられた第1のPGWと、第2の地理的領域内の第2のSGWグループに関連付けられた第2のPGWとを含む。本システムは、UEと第1のPGWとの間の第1のPDN接続を確立し、第2のPGWに関連付けられたハンドオーバー宛先SGWとの通信を確立し、UEが第1の地理的領域から第2の地理的領域に移動したと判定されると、第1のPGWとハンドオーバー宛先SGWとの間のGTPトンネル接続を確立するとともに、第1のPGWとハンドオーバー宛先SGWとの間のGTPトンネル接続を使用するように第1のPDN接続を更新するように構成されたMMEをさらに含む。
【０００８】
本開示およびその利点に対するより十分な理解のために、ここで添付図面と併せて読まれる以下の説明に対して参照符号を付し、ここで同様の番号は同様の対象を示す。
【図面の簡単な説明】
【０００９】
【図１】本開示による、分散型モビリティ管理のための例示的な通信システムを説明する。
【図２Ａ】本開示による方法および教示を実施することができる例示的な装置を説明する。
【図２Ｂ】本開示による方法および教示を実施することができる例示的な装置を説明する。
【図３】3GPPロング・ターム・エボリューション(LTE)/次世代パケットコア(EPC)アーキテクチャの高位ビューを説明する。
【図４】同じPGWを使用する1つのSGWグループ内の例示的なハンドオーバーを説明する。
【図５】別のSGWグループへの例示的なハンドオーバーを説明する。
【図６】高密度化ネットワークにおける別のSGWグループへの例示的なハンドオーバーを説明する。
【図７Ａ】本開示による、PGWと同一場所に配置されたハンドオーバー宛先SGWを含む例示的なネットワークを説明する。
【図７Ｂ】本開示による、PGWと同一場所に配置されたハンドオーバー宛先SGWを含む例示的なネットワークを説明する。
【図７Ｃ】本開示による、PGWと同一場所に配置されたハンドオーバー宛先SGWを含む例示的なネットワークを説明する。
【図８】本開示による、ハンドオーバー宛先SGWを使用するモビリティ管理のための例示的な方法を説明する。
【図９】本開示による、同一場所に配置されたSGW/PGWペアを有する別の例示的なネットワークを説明する。
【発明を実施するための形態】
【００１０】
以下で説明する図1から9、および本特許文献における本発明の原理を説明するのに使用される様々な実施形態は、単に例示目的であって、本発明の範囲を限定する形で解釈されるべきではない。本発明の原理は、任意の種類の適切に準備された装置またはシステムにおいて実装され得ることを当業者は理解するであろう。 
【００１１】
本開示は、以前のPGWの使用を継続しながら新たな領域内の全てのeNBをサポートするように、同一場所に配置されたパケット・データ・ネットワーク・ゲートウェイ(PGW)内のサービングゲートウェイ(SGW)をプロビジョンすることによって、ある暫定領域から別の領域へのモビリティサポートを提供するための、汎用パケット無線サービス(GPRS)トンネリングプロトコルを使用する分散型モビリティ管理ためのフレームワークを提供する。旧PGWを使用してアクティブである同じアクセス・ポイント・ネーム(APN)のセッションがない場合、新たなパケット・データ・ネットワーク(PDN)接続が、新たなPGWを使用して新たな暫定領域内でセットアップされる。各暫定領域内に多数のSGWがある場合、暫定領域全体の中でただ1つだけのSGWが、その領域内の全てのeNBをサーブするように特別にプロビジョンされる必要がある一方で、以前のPGWを使用しながらPGWと同一場所に配置されたSGWを使用することにより、新たなSGWを追加する必要がない。
【００１２】
図1は、本開示による、分散型モビリティ管理のための例示的な通信システム100を説明する。概して、システム100は、複数の無線ユーザがデータおよび他のコンテンツを送信および受信するのを可能にする。システム100は、符号分割多元接続(CDMA)、時分割多元接続(TDMA)、周波数分割多元接続(FDMA)、直交FDMA(OFDMA)、またはシングルキャリアFDMA(SC-FDMA)といった1つ以上のチャネルアクセス方法を実施し得る。特に、システム100は、1つ以上の第3世代パートナーシッププロトコル(3GPP)次世代パケットコア(EPC)標準に従う通信のために構成され得る。
【００１３】
この例では、通信システム100は、ユーザ機器(UE)110a-110e、無線アクセスネットワーク(RAN)120a-120b、コアネットワーク130、公衆交換電話網(PSTN)140、インターネット150、他のネットワーク160、および１つ以上のサーバ180を含む。一定数のこれらのコンポーネントまたはエレメントが図1には示されているが、任意数のこれらのコンポーネントまたはエレメントがシステム100に含まれることが可能である。
【００１４】
UE 110a-110eは、システム100において動作および/または通信するように構成される。例えば、UE 110a-110eは、無線または有線通信チャネルを介して送信および/または受信するように構成される。各UE 110a-110eは、任意の適切なエンドユーザ装置を表すとともに、いずれもがブラウザアプリケーションを含みかつ組み込む、ユーザ機器/装置(UE)、無線送受信ユニット(WTRU)、移動局、固定またはモバイル加入者ユニット、ポケットベル、携帯電話、携帯情報端末(PDA)、スマートフォン、ノートパソコン、コンピュータ、タッチパッド、無線センサ、または家庭用電子機器として、そのような装置を含み得る（またはそのように称され得る）。
【００１５】
ここで、RAN 120a-120bはそれぞれ基地局170a-170bを含む。各基地局170a-170bは、コアネットワーク130、PSTN 140、インターネット150、および/または他のネットワーク160へのアクセスを可能にするようUE 110a-110cのうちの1つまたは複数と無線でインターフェースするように構成される。例えば、基地局170a-170bは、既知送受信局(BTS)、Node-B(NodeB)、次世代NodeB(eNodeB)、ホームNodeB、ホームeNodeB、サイトコントローラ、アクセス・ポイント(AP)、または無線ルータといった、幾つかの周知の装置のうちの1つまたは複数を含み得る(または、そうであり得る)。UE 110d-110eは、インターネット150とインターフェースおよび通信するように構成されるとともに、コアネットワーク130、PSTN 140、および/または他のネットワーク160にアクセスすることができ、これはサーバ180との通信を含み得る。
【００１６】
図1に示される実施形態において、基地局170aはRAN 120aの一部を形成し、これは他の基地局、エレメント、および/または装置を含み得る。また、基地局170bは、RAN 120bの一部を形成し、これは他の基地局、エレメント、および/または装置を含み得る。各基地局170a-170bは、「セル」とも称される特定の地理的区域または領域内で無線信号を送信および/または受信するように動作する。幾つかの実施形態において、多重入出力(MIMO)技術が、各セルのための複数の送受信器に用いられていても良い。
【００１７】
基地局170a-170bは、無線通信リンクを使用する１つ以上のエアインターフェース190により、UE 110a-110cのうちの1つまたは複数と通信する。エアインターフェース190は、任意の適切な無線アクセス技術を利用し得る。
【００１８】
システム100は、以下で説明されるようなスキームを含む、多重チャネルアクセス機能を使用し得ることが企図される。特定の実施形態において、基地局およびUEは、LTE、LTE-A、および/またはLTE-Bを実装し得る。当然、他の多重アクセススキームおよび無線プロトコルも利用可能である。
【００１９】
RAN 120a-120bは、コアネットワーク130と通信して、音声、データ、アプリケーション、ボイス・オーバー・インターネット・プロトコル(VoIP)、または他のサービスをUE 110a-110cに提供する。当然だが、RAN 120a-120bおよび/またはコアネットワーク130は、1つ以上の他のRAN(図示せず)との直接的または間接的通信が可能である。コアネットワーク130は、他のネットワーク(PSTN 140、インターネット150、および他のネットワーク160のような)に対するゲートウェイアクセスとしてさらに機能し得る。加えて、UE 110a-110cの一部または全部は、様々な無線技術および/またはプロトコルを使用する様々な無線リンクによる様々な無線ネットワークと通信するための機能を含み得る。無線通信の代わりに(またはそれに加えて)、UEは、サービスプロバイダまたはスイッチ(図示せず)、およびインターネット150に向けて、有線通信チャネルを介して通信し得る。
【００２０】
図1は、通信システムの一例を説明しているが、様々な変更を図1に対して行うことができる。例えば、通信システム100は、任意の適切な構成において、任意数のUE、基地局、ネットワーク、または他のコンポーネントを含むことができる。
【００２１】
図2Aおよび2Bは、本開示による、方法および教示を実施することができる例示的な装置を説明する。特に、図2Aは例示的なUE 110を説明するとともに、図2Bは例示的な基地局170を説明する。これらのコンポーネントは、システム100においてまたは他の適切なシステムにおいて使用することができる。
【００２２】
図2Aに示されるように、UE 110は、少なくとも1つの処理ユニット200を含む処理ユニット200は、UE 110の様々な処理動作を実施する。例えば、処理ユニット200は、システム100内のUE 110の動作を可能にする信号符号化、データ処理、電力制御、入出力処理、または他の機能を行うことができる。処理ユニット200は、以下でより詳細に説明される方法および教示をさらに支援する。各処理ユニット200は、1つ以上の動作を実施するように構成された任意の適切な処理装置または計算装置を含む。各処理ユニット200は、例えば、マイクロプロセッサ、マイクロコントローラ、デジタル信号プロセッサ、フィールド・プログラマブル・ゲート・アレイ、または特定用途向け集積回路を含むことができる。
【００２３】
UE 110は、少なくとも1つの送受信器202をさらに含む。送受信器202は、少なくとも1つのアンテナ204による伝送のために、データまたは他のコンテンツを変調するように構成される。送受信器202は、少なくとも1つのアンテナ204によって受信されたデータまたは他のコンテンツを復調するようにさらに構成される。各送受信器202は、無線伝送用の信号を生成するため、および/または無線で受信した信号を処理するための任意の適切な構造を含む。各アンテナ204は、無線信号を送信および/または受信するための任意の適切な構造を含む。1つまたは複数の送受信器202は、UE 110において使用することができるとともに、1つまたは複数のアンテナ204は、UE 110において使用することができる。送受信器202は、単一の機能ユニットとして示されているが、少なくとも1つの送信器および別個の少なくとも1つの受信器を使用して実装されることも可能である。
【００２４】
UE 110は、1つ以上の入出力装置206またはインターフェース(インターネット150への有線インターフェースのような)をさらに含む。入出力装置206は、ネットワーク内のユーザまたは他の装置(ネットワーク通信)とのインタラクションを促進する。各入出力装置206は、情報をユーザに提供するため、またはユーザからの情報を受信/提供するため、ネットワークインターフェース通信を含む、スピーカ、マイクロフォン、キーパッド、キーボード、ディスプレイ、またはタッチスクリーンのような任意の適切な構造を含む。
【００２５】
加えて、UE 110は、少なくとも1つのメモリ208を含む。メモリ208は、UE 110によって使用、生成、または収集される命令およびデータを保存する。例えば、メモリ208は、処理ユニット200によって実行されるソフトウェアまたはファームウェア命令、および入来信号における干渉を低減または除去するために使用されるデータを保存することができる。各メモリ208は、任意の適切な揮発性および/または不揮発性記録装置、ならびに検索装置を含む。例えばランダム・アクセス・メモリ(RAM)、リード・オンリー・メモリ(ROM)、ハードディスク、光ディスク加入者識別モジュール(SIM)カード、メモリスティック、セキュアデジタル(SD)メモリカード等の適切な種類のメモリを使用することができる。
【００２６】
図2Bに示されるように、基地局170は、少なくとも1つの処理ユニット250、少なくとも1つの送信器252、少なくとも1つの受信器254、1つ以上のアンテナ256、1つ以上の有線ネットワークインターフェース260、および少なくとも1つのメモリ258を含む。処理ユニット250は、信号符号化、データ処理、電力制御、入出力処理、または他の機能といったサーバ180の様々な処理動作を実施する。処理ユニット250は、以下でより詳細に説明される方法および教示をさらに支援することができる。各処理ユニット250は、1つ以上の動作を行うように構成された任意の適切な処理装置または計算装置を含む。各処理ユニット250は、例えば、マイクロプロセッサ、マイクロコントローラ、デジタル信号プロセッサ、フィールド・プログラマブル・ゲート・アレイ、または特定用途向け集積回路を含むことができる。
【００２７】
各送信器252は、1つ以上のUEまたは他の装置への無線伝送のための信号を生成するための任意の適切な構造を含む。各受信器254は、1つ以上のUEまたは他の装置から無線で受信された信号を処理するための任意の適切な構造を含む。少なくとも1つの送信器252および少なくとも1つの受信器254は、別個のコンポーネントとして示されているが、送受信器にまとめることができる。各アンテナ256は、無線信号を送信および/または受信するための任意の適切な構造を含む。コモンアンテナ256は、送信器252および受信器254の両方に結合されているものとしてここでは示されているが、1つ以上のアンテナ256が送信器252に結合しかつ1つ以上の別個のアンテナ256が受信器254に結合することができる。各メモリ258は、任意の適切な揮発性および/または不揮発性記憶装置、ならびに検索装置を含む。
【００２８】
UE 110およびサーバ180に関するさらなる詳細は当業者に知られている。そこで明瞭性のため、それらの詳細はここでは省略する。
【００２９】
図3は、3GPP 23.401による、3GPPロング・ターム・エボリューション(LTE)/EPCアーキテクチャ300の高位ビューを説明する。アーキテクチャ300の様々なコンポーネントは、図1、2A、および2Bの1つ以上のコンポーネントを表し得る（またはそれによって表される）。例えば、図3のUE 324は、図1のUEのうちの1つまたは複数を表すことができる。
【００３０】
アーキテクチャ300は、次世代ユニバーサル地上波無線ネットワーク(E-UTRAN)312、およびEPCモバイルコアネットワークを含む。EPCは、エンドユーザセッション・接続管理のための豊富なメカニズムセットを提供する。EPCは、以下のものを含む多数の機能エンティティを有している ― サービングゲートウェイ(SGW)314、データパス内のパケット・データ・ネットワーク・ゲートウェイ(PGW)316、モビリティ・マネジメント・エンティティ(MME)318、ホーム加入者システム(HSS)320、および制御プレーン機能を提供するパケット制御・ルール機能(PCRF)ブロック322。アーキテクチャは、要求に応じた接続の認証および確立、サービス品質(QoS)ポリシーおよび課金、確立された接続のモビリティ、および他のセッションハンドリング機能をサポートする。加えて、EPCは、前世代の無線アクセスネットワーク(RAN) ― UMTS地上波RAN(UTRAN)、およびGSM(登録商標)EDGE RAN(GERAN)に対する後方互換性をさらに提供する。
【００３１】
ユーザ機器(UE)324がアクセス・ポイント・ネーム(APN)によりネットワークに参加した場合、エンドユーザ接続は確立される。MME 318は、以下のものにおける、パケット・データ・ネットワーク(PDN)接続セグメントを確立するための信号伝達を促進する ― PGW 316とSGW 314との間のS5インターフェース、E-UTRAN 312のeNBとSGW 314と間のS1-Uインターフェース、E-UTRAN 312とUE 324との間の無線インターフェースLTE-Uu。
【００３２】
現在のLTEアーキテクチャにおいて、GPRSトンネリングプロトコル(GTP)は、ベアラ接続をトンネルするために最も一般的に使用されるプロトコルである。既存の3GPP EPCネットワークにおけるモビリティ管理は、中央集中化されるとともに、モビリティに対してプライマリGTPを使用する。eNBからPGW 316へのGTP接続は、UEのIPパケットがPGW 316(UEに対する第1のホップルータ)にトンネル可能である階層化レイヤ2トランスポートを提供する。GTP制御プロトコルは、QoSポリシーネゴシエーション機能、従量および課金機能、UEロケーション情報、コアネットワーク・エレメントの負荷情報、接続保持および他の接続情報を提供する。EPC機能エンティティは、IPネットワークによる(典型的には続いてマルチプロトコル・ラベル・スイッチング(MPLS)ネットワークによるものである)UDP(ユーザ・データグラム・プロトコル)のオーバーレイであることに留意されたい。データプレーンにおいて、例えば、SGW 314とPGW 316との間の接続とともに、E-UTRAN 312とSGW 314との間の接続は、幾つかのインターネットプロトコル(IP)および図面に示されていないMPLSルータを通して接続され得る。
【００３３】
図4は、同じPGWを使用する1つのSGWグループ内の例示的なハンドオーバーを説明する。図4に示されるように、特定のアクセス・ポイント・ネーム(APN)に対して作成されたパケット・データ・ネットワーク(PDN)接続のIPフローは、PGWにアンカーされるとともに、パケットは、このアンカーを介してルートされる。ある地理的領域内の多数のSGWを、その領域内のPGW(例えば、PGW1)を使用するようにプロビジョンすることが可能である一方、別の地理的領域内の多数の他のSGWは、他の領域(所与のAPNに対する)内のPGW(例えば、PGW3)を使用することが可能である。そのような地理的領域は典型的に巨大であり、それにより様々な領域内のSGWが特定のサービスのために同じPDNに接続する同じPGWを使用する場合、パケット遅延が非常に長くなる。様々な領域内のPGWに対する分離は、SGWとPGWとの間の非常に長いトンネルを回避することができる。加えて、同じサービスが複数の地理的ロケーションにおいて利用可能である場合、ネットワーク遅延はより短くなる。例えば、同じコンテンツを有するキャッシュ済みサーバが、様々ネットワークにおいて利用可能であり、それにより、様々なPGWを、様々なロケーションにおいて同じコンテンツに、それぞれより短いパケット遅延でアクセスするのに使用することができる。UE 401は、異なるeNBに移動する(例えば、SGW15に関連付けられたロケーションから移動する)とともに参加するため、モビリティ・マネジメント・エンティティ(MME)は、新たなeNBにより近い別のSGW(例えば、SGW19)を選択し得る。それらのeNBおよびSGWは、同じIPフローに対して変更し得るが、PGWは変更しない(例えば、PGWはPGW1のままである)。
【００３４】
図5は、別のSGWグループへの例示的なハンドオーバーを説明する。図5に示されるように、UE 501は、第1のSGWグループから第2のSGWグループにハンドオーバーする。最新のネットワークでは、各SGWグループに関連付けられた地理的領域は広範であるため、UEがある領域から別の領域に移動するのは稀である一方で、ハンドオーバー後のセッション継続を必要とするアプリケーションを実行している。従って、そのようなハンドオーバー場面が生じる場合は全て、典型的にはそれぞれのハンド―オーバーのうちの比較的少数のみを含む。しかし、そのようなハンドオーバーが許可されない場合、UEによるそのような移動に対して、通信セッションが遮断する(かつ呼がドロップされる)ことが可能である。そのようなハンドオーバーを可能にする解決策が必要な一方で、そのような移動は度々起きるものではないため、その解決策を実施するためのコストは、好ましくは小さくあるべきである。
【００３５】
図6は、高密度化ネットワークにおける別のSGWグループへの例示的なハンドオーバーを説明する。図6に示されるように、将来におけるアクセスネットワークはより高密度になり、これにより、1つのSGWによってサーブされる領域がより小さくなる。例えば、図6のSGWは、図4および5に示されるSGWよりも互いに近接して離間される。ネットワークがより高密度でかつより平坦なものになることにより、ネットワークサービスが、より多くのロケーションにおいて、そしてユーザにとってより近いものとなって、利用可能になることが期待される。同じサービスにアクセスするPGWがより多く存在することが可能である。この場合、同じPGWを使用するSGWグループによってサーブされる領域の外側に移動するUE(例えば、UE 601)は、これよりも広い地理的領域をカバーするSGWグループにおけるものよりも頻繁に発生し得る。
【００３６】
より頻繁なPGW間ハンドオーバーの問題を解決するために、本開示の実施形態は、後者の地理的領域において都合の良いロケーションでのハンドオーバー宛先SGWを提供し、これにより、以前のPGWを使用するPDN接続が提供されたSGWを使用することができる。この提供されたSGW(ハンドオーバー宛先SGWと称すことができる)は、以前のPGWのPDN接続を使用しているこれらのPDN接続に対するMMEによって選択される一方で、通常は新たなPGWを使用するその地理的領域内のeNBを使用する。以前のPGWへのトンネルのためのハンドオーバー宛先SGWの使用はさらに、暫定の解決策としてのそのような使用を識別するのに役立つ。暫定的な解決策のトラフィックがない場合、後者の地理的領域内の新たなPGWに最終的に移動するのを準備する。
【００３７】
本明細書に開示される実施形態を用いれば、所与のPDN接続に対する第1のPGWによって通常サーブされる領域の外側のノードへのハンドオーバーを可能にする。ハンドオーバーの宛先は、別の方法では新たなPDN接続に対して第2の(別の)PGWを使用するSGWによってサーブされるであろうが、eNBの領域の至る所で可能である。好適な実施形態において、宛先SGWは、新たなPGWと同一場所に位置するSGWである。同一場所に配置されたSGWおよびPGWは、多くのネットワークにおいてすでに存在しているため、PGWと同一場所に配置された既存のSGW機能を使用するために個別のSGWを追加する必要はない。ここで、一例を説明する。
【００３８】
図7Aから7Cは、本開示による、PGWと同一場所に配置されたハンドオーバー宛先SGWを含む例示的なネットワークを説明する。ネットワーク700の様々なコンポーネントは、図1、2A、2B、および3の1つ以上のコンポーネントを表し得る（またはそれによって表される）。例えば、図7A-7CのUE 701は、図1のUE 110のうちの1つまたは複数を表し得る。
【００３９】
図7Aに示されるように、UE 701は、進行中の通信セッションに参加する一方で、1つのSGWグループ(SGW11-SGW19)によってサーブされる第1の地理的領域の内側では、PDN接続に対するPGW1を使用してパケット・データ・ネットワーク(PDN)からのサービスにアクセスする。一般的に言えば、UE 701がネットワーク700内のeNBに参加する場合、UE 701は、APNによりPDN接続を要求してアクセスを望むPDNを示す。MMEは、SGWグループ(SGW11-SGW19)の中から、接続のeNBに近接するSGWを選ぶ。UEは別のeNBに移動するため、SGWはグループSGW11-SGW19内の任意のSGWに変更可能である。特に、図7Aにおいて、UE 701は、SGW19に関連付けられたeNB 703と通信する。UE 701に対するPDN接続708は、二重線で示されるように、PGW1、SGW19、およびUE 701の間で確立される。第2のSGWグループ(SGW31-SGW37)は、第1の地理的領域に隣接する第2の地理的領域をサーブする。第2のSGWグループは、これらのSGWにより近いPGW3として識別される別のPGWを使用して、同じPDNまたは同様のサービスを有する別のPDNにアクセスする。高密度化ネットワークおよびセルラーネットワークの平坦化に向かう傾向では、多様な地理的ロケーションにおいて複数のPDNのサービスを提供することは、遅延の短縮に役立つ。
【００４０】
UE 701は別のeNBへのハンドオーバーを開始するとともに、eNBはMMEと通信する。ハンドオーバーの前に、MMEは、SGW19およびPGW1(現在のSGWおよび現在のPGW)を選択しており、アプリケーションセッションは、別のノードと通信するためにすでに開かれている。図7Bに示されるように、UE 701は、eNB 703のサービスエリアから離れて第2のSGWグループ(SGW31-SGW37)によってサーブされる第2の地理的領域に移動する。第2の地理的領域において、UE 701は、ローカルSGWとしてSGW31と、より近いPGWとしてPGW3とを通常使用するeNB 705を見つける。まだMMEは、PDN接続710はPGW3を使用しておらずPGW1を使用していると認識している。ここで、ネットワーク700は、PGW1とSGW31(この区域全体へのハンドオーバーを可能にするグループSGW31-SGW39内の他の全てのSGWと同様に)との間のGTPトンネルを確立するようにプロビジョンされることが可能である。しかし、それらが様々な区域に分離される場合、高密度ネットワークにおける管理のためのプロビジョニングおよびトンネルは少ない。加えて、これは、たとえネットワークがより高密度になってかつサービスがより分散されたとしても、PGWの変更を許さず、これによって、それらにより近い別のPGWにより複数のPDNは、同じサービスを提供することができる。
【００４１】
SGW3として識別されるハンドオーバー宛先SGWは、第2の地理的領域内の都合の良いロケーションにおいて提供される。好適な実施形態において、SGW3はPGW3と同一場所に配置される。既存のPDN接続708を使用しているため、MMEは、ローカルのSGW31(PGW3によってサーブされる)を選択せずに、代わりに同一場所に配置されたSGW3を選択する。図7Bに示されるように、PGW1はPDN接続710の一部のままであるととともに、PGW1とSGW3との間のGTPトンネル接続715が確立される。すなわち、新たなPGWによる新たなPDN接続を確立する代わりに、PGW1を使用する既存のPDN接続708は、SGW3をこれから使用するように変更される。そして、PDN接続710は、図7Bに示されるように、eNB 705(新たなeNB)、(ハンドオーバー宛先SGW)、PGW1(旧PGW)を使用する。旧PDN接続708(PGW1-SGW19-eNB 703)は切断されるとともに、セッションはPDN接続710にハンドオーバーされる。
【００４２】
トンネル715、SGW3、およびPDN接続710の使用は、PGW1の暫定使用としてのそのようなトラフィックのみをPGW1が区別するのに役立つ。PGW1は、このPDN接続のアクティブな使用がない場合、PDN接続710を切断する機会を求めることができ、これにより、新たなPGWを使用する新たなPDN接続が確立可能である。
【００４３】
UE 701は、SGW31-SGW37のグループによって通常サーブされる領域全体の下で他のeNBへの移動およびハンドオーバーを継続することができる。UE 701が別のeNBへのハンド―オーバーを試みる場合(図面には示さず)、新たなeNBは、MMEにコンタクトする。MMEは、これはSGW3を使用する特別な(暫定使用の)PDN接続であると判断する。これは、eNBのみを変更するようにPDNの設定を継続する一方で、PDN接続における既存のSGW3を維持する。代替として、新たなeNBおよび旧eNBは、PDN接続におけるSGW3を変更することなく同じハンドオーバーを実現するように直接通信しても良い。
【００４４】
別のセッションが同じAPNを使用してここでセットアップされる場合、新たなセッションはPDN接続710を使用することになる。PDN接続710は、アクティブなセッションがなくなるまで使用され続ける。ハンドオーバーされたPDN接続を使用する他のセッションがアクティブでない場合、このAPNに対するPDN接続710は切断される。そして、新たなPDN接続720が、図7Cで説明されるようにセットアップされる。PDN接続を切断するための別の方法が存在し得る。例えば、PGW1がアクティブなセッションがないことを知るための1つの方法としては、タイマを使用することが可能であり、それによって、PGW1がPDN接続の切断を開始することができる。
【００４５】
新たなPDN接続720は、旧PDN接続710が切断された後にセットアップされる。新たなPDN接続を開通するための別の方法が存在し得る。例えば、既存のPDN接続がエラーになっている、またはPGW1がエラーになっているとeNBおよび/またはMMEが判定した場合のリカバリメカニズムを配置することができる。別のPGWを使用する新たなPDN接続のセットアップを開始するのにリカバリメカニズムを使用することができる。
【００４６】
新たなPDN接続720を確立するために、UE 701はeNB 705に参加する際と同様の要求を送信することができる。eNB 705は、新たなAPNによりMMEとコンタクトする。MMEは、eNB 705に近接する新たなSGW、例えば、SGW31を選択する。SGW31は、このAPNによりPGW3を使用するように構成される。従って、MMEは、PGW3を選択するとともに、図7Cに示されるような、SGW31(新たなSGW)とPGW3(新たなPGW)との間のGTPトンネル接続725を確立する。
【００４７】
幾つかの実施形態において、第2の地理的領域へのUE 701のハンドオーバーの後に、PDN接続710は、切断される前に、最初にデプリケーションされる。このデプリケーションの概念は、IP標準においてルートされる。デプリケーションは、IPにおけるアクティブと失効との間の状態である。繰り返すと、PDN接続710におけるSGW3の使用は、PGW1または他のネットワークエレメントがそのようなデプリケーション済みの接続を他のアクティブな接続と区別するのに役立つ。PDNがアクティブでないため、新たなPDN接続を開通することが可能である。新たなPDN接続720が確立されれば、新たなセッションは、新たなPDN接続を使用するであろう。しかし、既存のセッションがデプリケーション済みのPDN接続710を現在使用している場合、そのセッションは、接続710の使用の継続が可能である。後に、PDN接続710が切断されると、新たなPDN接続720のみが使用される。
【００４８】
ハンドオーバー宛先SGW(例えば、SGW3)は、以前の地理的領域のPGW(例えば、PGW1)のPDN接続を使用するそれらのPDN接続に対してMMEによって選択可能である。一方で、通常は新たなPGW(例えば、PGW3)を使用する新たな地理的領域においてeNBを使用する。従って、所与のPDN接続に対して1つのPGWによって通常サーブされる領域の外側へのハンドオーバーが可能である。ハンドオーバーの宛先は、別の方法であれば新たなPDN接続に対して別のPGWを使用するSGWによってサーブされる領域だが、ここではeNBの領域のどこでも可能である。
【００４９】
図8は、本開示による、ハンドオーバー宛先SGWを用いるモビリティ管理のための例示的な方法を説明する。説明を容易にするため、方法800は、図7A-7Cのネットワーク700とともに使用されるものとして説明される。しかし、方法800は、任意の適切な装置によって使用されるとともに、任意の適切なシステムまたはネットワークにおいて使用されることが可能である。
【００５０】
ステップ801において、PDN接続が、UEと第1の地理的領域内の第1のSGWグループに関連付けられた第1のPGWとの間で確立される。例えばこれは、MME(例えば、MME 318)がPGW1とUE 701との間のPDN接続708を確立することを含み得る。
【００５１】
ステップ803において、第2のPGWに関連付けられたハンドオーバー宛先SGWとの通信が確立される。第2のPGWは、第2の地理的領域内の第2のSGWグループに関連付けられる。これは、MMEが、PGW3に関連付けられたSGW3との通信を確立することを含み得る。幾つかの実施形態において、SGW3はPGW3と同一場所に配置される。
【００５２】
ステップ805において、UEが第1の地理的領域から第2の地理的領域に移動する。これは、UE701がSGW11-SGW19に関連付けられた地理的領域からSGW31-SGW37に関連付けられた地理的領域に移動することを含み得る。
【００５３】
ステップ807において、UEが第1の地理的領域から第2の地理的領域に移動した後に、MMEは第1のPGWとハンドオーバー宛先SGWとの間のGTPトンネル接続を確立する。これは、MMEがPGW1とSGW3との間のGTPトンネル接続715を確立することを含み得る。
【００５４】
ステップ809において、MMEは、PDN接続を更新して、第1のPGWとハンドオーバー宛先SGWとの間のGTPトンネル接続を使用する。これは、MMEがPDN接続708をPDN接続710に更新して、GTPトンネル接続715を使用することを含み得る。
【００５５】
図8は、PGWと同一場所に配置されたハンドオーバー宛先SGWを使用するための方法800の一例を説明するが、様々な変更が図8になされ得る。例えば、一連のステップとして示されている一方で、図8における個々のステップは、重複、並列に発生、異なる順序で発生、または任意回数発生することができる。
【００５６】
各PGWと同一場所に配置されたSGWを使用することによって、シームレスなハンドオーバーがネットワーク内のほとんど至る所で可能である。上記説明した方法は、図9に示されるようにネットワークが平坦化した場合も適用可能であり、ここでは、単独のSGWグループはもはや存在しないとともに、同一場所に配置されたSGW/PGWのペアが至る所で使用される。上記説明した方法は、SGWのみの単独ボックスが存在するかどうかに関係なく適用可能である。そして、既存の階層型ネットワークから平坦化ネットワークへの移行は、同じモビリティ管理メカニズムを使用することができる。
【００５７】
上記実施形態は、GTPの他の使用にさらに適用可能である。例えば、上記実施形態は、SGWおよびPGWの代わりにSGSNおよびGGSNを用いて実施することにより、3GPPに対して拡張可能である。そのような3GPPシステムは、同一場所に配置されたSGSN/GGSNを必要とする。
【００５８】
幾つかの実施形態において、上記装置のうちの1つまたは複数の機能または処理の一部または全部は、コンピュータ可読プログラムコードから形成されかつコンピュータ可読媒体内に具現化されたコンピュータプログラムによって実施または支援される。語句「コンピュータ可読プログラムコード」は、ソースコード、オブジェクトコード、および実行可能コードを含む、任意の種類のコンピュータコードを含む。語句「コンピュータ可読媒体」は、リード・オンリー・メモリ(ROM)、ランダム・アクセス・メモリ(RAM)、ハード・ディスク・ドライブ、コンパクトディスク(CD)、デジタル・ビデオ・ディスク(DVD)、または他の種類のメモリといった、コンピュータによるアクセスが可能な任意の種類の媒体を含む。
【００５９】
本特許文献を通して使用される特定の語および語句の定義を明記することは有益である。「含む」および「備える」との表現ならびにそれらの派生語は、無制限の包含を意味する。用語「または」との表現は、および/またはとの意味を包含する。語句「に関連づけられた」および「関連付けられた」ならびにそれらの派生語は、含むこと、含まれること、相互接続すること、包含すること、包含されること、接続すること、結合すること、伝達可能であること、協働すること、相互配置すること、並置すること、近接すること、結び付けること、有すること、特性を有すること等を意味する。
【００６０】
本開示は、特定の実施形態および一般的に関連する方法を説明してきたが、一方で、これらの実施形態および方法の変更および置換は、当業者にとって自明であろう。従って、例示的な実施形態の上記説明は、本開示を規定または制限しない。他の変形、代用、および変更も添付の特許請求の範囲によって定義されるような本開示の趣旨および範囲から逸脱することなく可能である。
【符号の説明】
【００６１】
SGW  サービングゲートウェイ
PGW  パケット・データ・ネットワーク・ゲートウェイ
【図１】
2017501636.tif 000003
【図２Ａ】
2017501636.tif 000004
【図２Ｂ】
2017501636.tif 000005
【図３】
2017501636.tif 000006
【図４】
2017501636.tif 000007
【図５】
2017501636.tif 000008
【図６】
2017501636.tif 000009
【図７Ａ】
2017501636.tif 000010
【図７Ｂ】
2017501636.tif 000011
【図７Ｃ】
2017501636.tif 000012
【図８】
2017501636.tif 000013
【図９】
2017501636.tif 000014
【手続補正書】
【提出日】平成28年8月4日(2016.8.4)
【手続補正１】
【補正対象書類名】特許請求の範囲
【補正対象項目名】全文
【補正方法】変更
【補正の内容】
【特許請求の範囲】
【請求項１】
モビリティ管理のための方法であって、
ユーザ機器(UE)と、第1の地理的領域内の第1のサービングゲートウェイ(SGW)グループに関連付けられた第1のパケット・データ・ネットワーク・ゲートウェイ(PGW)との間の第1のパケット・データ・ネットワーク(PDN)接続を確立するステップと、
第2のPGWに関連付けられたハンドオーバー宛先SGWとの通信を確立するステップであって、前記第2のPGWが第2の地理的領域内の第2のSGWグループに関連付けられ、
前記UEが前記第1の地理的領域から前記第2の地理的領域に移動したと判定されると、前記第1のPGWと前記ハンドオーバー宛先SGWとの間の汎用パケット無線サービス(GPRS)トンネリングプロトコル(GTP)トンネル接続を確立するとともに、前記第1のPGWと前記ハンドオーバー宛先SGWとの間の前記GTPトンネル接続を使用するように前記第1のPDN接続を更新するステップとを含む方法。
【請求項２】
前記ハンドオーバー宛先SGWは、前記第2のPGWと同一場所に配置される、請求項１に記載の方法。
【請求項３】
前記UEが前記第1の地理的領域から前記第2の地理的領域に移動する前に、PDN接続は前記第1のSGWグループ中の少なくとも1つのSGWを含むとともに、前記UEが前記第1の地理的領域から前記第2の地理的領域に移動した後に、PDN接続は前記第1のSGWグループ中のいずれのSGWも含まない、請求項１または２に記載の方法。
【請求項４】
前記UEが前記第1の地理的領域から前記第2の地理的領域に移動する前に、PDN接続は前記第1の地理的領域内の第1のeNBを含むとともに、前記UEが前記第1の地理的領域から前記第2の地理的領域に移動した後に、PDN接続は前記第2の地理的領域内の第2のeNBを含む、請求項１または２に記載の方法。
【請求項５】
前記方法は、
前記UEが前記第1の地理的領域から前記第2の地理的領域に移動する前に、PDN接続要求を前記UEから受信するステップをさらに含む、請求項１〜４のいずれか一項に記載の方法。
【請求項６】
前記UEが前記第2の地理的領域に移動した後に、
前記第1のPDN接続を閉じるステップと、
前記第2のPGW、前記第2のSGWグループ中の少なくとも1つのSGW、および前記UE間の第2のPDN接続を確立するステップとをさらに含む、請求項１〜５のいずれか一項に記載の方法。
【請求項７】
前記第1の地理的領域は、前記第2の地理的領域に隣接する、
請求項１〜６のいずれか一項に記載の方法。
【請求項８】
モビリティ管理のための装置であって、
ユーザ機器(UE)と、第1の地理的領域内の第1のサービングゲートウェイs (SGW)グループに関連付けられた第1のパケット・データ・ネットワーク・ゲートウェイ(PGW)との間の第1のパケット・データ・ネットワーク(PDN)接続を確立し、
第2のPGWに関連付けられたハンドオーバー宛先SGWとの通信を確立し、ここで、前記第2のPGWが第2の地理的領域内の第2のSGWグループに関連付けられ、
前記UEが前記第1の地理的領域から前記第2の地理的領域に移動したと判定されると、前記第1のPGWと前記ハンドオーバー宛先SGWとの間の汎用パケット無線サービス(GPRS)トンネリングプロトコル(GTP)トンネル接続を確立するとともに、前記第1のPGWと前記ハンドオーバー宛先SGWとの間の前記GTPトンネル接続を使用するように前記第1のPDN接続を更新するように構成された、モビリティ・マネジメント・エンティティ(MME)を備える装置。
【請求項９】
前記ハンドオーバー宛先SGWは、前記第2のPGWと同一場所に配置される、請求項８に記載の装置。
【請求項１０】
前記UEが前記第1の地理的領域から前記第2の地理的領域に移動する前に、PDN接続は前記第1のSGWグループ中の少なくとも1つのSGWを含むとともに、前記UEが前記第1の地理的領域から前記第2の地理的領域に移動した後に、PDN接続は前記第1のSGWグループ中のいずれのSGWも含まない、請求項８または９に記載の装置。
【請求項１１】
前記UEが前記第1の地理的領域から前記第2の地理的領域に移動する前に、PDN接続は前記第1の地理的領域内の第1のeNBを含むとともに、前記UEが前記第1の地理的領域から前記第2の地理的領域に移動した後に、DN接続は前記第2の地理的領域内の第2のeNBを含む、請求項８または９に記載の装置。
【請求項１２】
前記MMEは、
前記UEが前記第1の地理的領域から前記第2の地理的領域に移動する前に、PDN接続要求を前記UEから受信するようにさらに構成される、請求項８〜１１のいずれか一項に記載に記載の装置。
【請求項１３】
前記MMEは、前記UEが前記第2の地理的領域に移動した後に、
前記第1のPDN接続を閉じるとともに、
前記第2のPGW、前記第2のSGWグループ中の少なくとも1つのSGW、および前記UE間の第2のPDN接続を確立するようにさらに構成される、請求項８〜１２のいずれか一項に記載の装置。
【請求項１４】
前記第1の地理的領域は、前記第2の地理的領域に隣接する、請求項８〜１３のいずれか一項に記載の装置。
【請求項１５】
モビリティ管理のためのシステムであって、前記システムは、
第1の地理的領域内の第1のサービングゲートウェイ(SGW)グループに関連付けられた第1のパケット・データ・ネットワーク・ゲートウェイ(PGW)と、
第2の地理的領域内の第2のSGWグループに関連付けられた第2のPGWと、
前記第1のPGWおよび第2のPGWと通信可能に結合されたモビリティ・マネジメント・エンティティ(MME)とを備え、前記MMEは、
ユーザ機器(UE)と前記第1のPGWとの間の第1のパケット・データ・ネットワーク(PDN)接続を確立し、
前記第2のPGWに関連付けられたハンドオーバー宛先SGWとの通信を確立し、
前記UEが前記第1の地理的領域から前記第2の地理的領域に移動したと判定すると、前記第1のPGWと前記ハンドオーバー宛先SGWとの汎用パケット無線サービス(GPRS)トンネリングプロトコル(GTP)トンネル接続を確立するとともに、前記第1のPGWと前記ハンドオーバー宛先SGWとの間の前記GTPトンネル接続を使用するように前記第1のPDN接続を更新するように構成される、システム。
【請求項１６】
前記ハンドオーバー宛先SGWは、前記第2のPGWと同一場所に配置される、請求項１５に記載のシステム。
【請求項１７】
前記UEが前記第1の地理的領域から前記第2の地理的領域に移動する前に、PDN接続は前記第1のSGWグループ中の少なくとも1つのSGWを含むとともに、前記UEが前記第1の地理的領域から前記第2の地理的領域に移動した後に、PDN接続は前記第1のSGWグループ中のいずれのSGWも含まない、請求項１５または１６に記載のシステム。
【請求項１８】
前記UEが前記第1の地理的領域から前記第2の地理的領域に移動する前に、PDN接続は前記第1の地理的領域内の第1のeNBを含むとともに、前記UEが前記第1の地理的領域から前記第2の地理的領域に移動した後に、PDN接続は前記第2の地理的領域内の第2のeNBを含む、請求項１５または１６に記載のシステム。
【請求項１９】
前記MMEは、
前記UEが前記第1の地理的領域から前記第2の地理的領域に移動する前に、PDN接続要求を前記UEから受信するようにさらに構成される、請求項１５〜１８のいずれか一項に記載のシステム。
【請求項２０】
前記MMEは、前記UEが前記第2の地理的領域に移動した後に、
前記第1のPDN接続を閉じるとともに、
前記第2のPGW、前記第2のSGWグループ中の少なくとも1つのSGW、および前記UE間の第2のPDN接続を確立するようにさらに構成される、請求項１５〜１９のいずれか一項に記載のシステム。
【国際調査報告】
2017501636.tif 000015
2017501636.tif 000016